(57)【要約】清掃道具が保管されている場合、ブラシのような清掃道具、特に、バスルームで通常使用され、保管される、便器などを清掃するのに使用される長い取っ手を有する型の清掃道具の洗浄端部分を受け入れるように形成された受け口を有する入れ物。清掃道具および入れ物の受け口の協働形状が、従来のように上方に突出する清掃道具の長い取っ手付きか、或いは大体水平に延びるその長い取っ手付きの清掃道具またはブラシの保管を可能にし、それによってバスルームで通常見られる型のキャビネットに清掃道具を納める入れ物の保管を容易にする。
2005534377.tif 000002
【特許請求の範囲】
【請求項１】
細長い支持部材を備える清掃道具を保管する入れ物であって、前記支持部材は、第１および第２端部を両側に有する大体真直ぐな支持端部分と、第１および第２端部を両側に有する取っ手端部分とを含み、前記支持および取っ手端部分の第２端部は、第１軸を中心として互いに対して鈍角で配置される状態で、互いに結合され、前記取っ手端部分の第１端部に隣接する取っ手端部分の一部が手で係合できるようになっており、清掃道具は、前記支持端部分で支持される内側端部分を有する複数の洗浄部材を含み、このとき、前記内側端部分に対向する前記洗浄部材のうちのいくつかの外側部分が、前記支持端部分の第１端部の周りに約１８０度に渡って延びる凸状弓形端部周面部分を画定し、前記洗浄部材のうちのいくつかの外側部分が、前記凸状弓形端部周面部分から前記支持端部分の第２端部の方へ延びる凸状弓形側部周面部分を画定するようになっており、
前記入れ物は、水平面で支持されるようになっている被支持面を有する壁を備え、該壁は、前記清掃道具の洗浄部材を受け入れて支持するようになっている受け口を画定する複数の受入れ面を有し、それら受入れ面は、前記洗浄部材によって画定される凸状側部周面部分を支持するようになっている凸状弓形側面を含み、前記凸状弓形側面は前記被支持面に対してほぼ鋭角で配置される軸を有し、かつ前記受け口の入口端部から前記被支持面の方へ延び、前記受入れ面はさらに、前記洗浄部材によって画定される凸状弓形端部周面部分を支持するようになっている前記入口端部に対向する受け口の端部に凸状弓形端面を含み、
前記清掃道具は、（１）前記受け口に垂直保管位置で受け入れられ、このとき、前記凸状弓形端部周面部分を画定する前記洗浄部材の外側端部が前記凸状弓形端面に押し当てられ、前記凸状弓形側部周面部分を画定する前記洗浄部材の外側部分が前記凸状弓形側面に押し当てられ、かつ前記取っ手部分が前記受け口の外側で入れ物の前記被支持面から離れて大体垂直に突出するか、或いは（２）前記受け口に水平保管位置で受け入れられ、このとき、前記洗浄部材の外側部分によって画定される前記凸状端部周面部分が前記凸状弓形端面に押し当てられ、前記支持部分の前記部分は受け口の入口端部で入れ物に押し当てられ、かつ前記取っ手部分は前記受け口の外側で入れ物から離れて前記被支持面に大体平行に突出するようになっている、入れ物。
【請求項２】
前記受入れ面に含まれる前記凸状弓形側面が半円筒形である、請求項１に記載の清掃道具を保管する入れ物。
【請求項３】
前記受入れ面に含まれる前記凸状弓形端面が半球形である、請求項１に記載の清掃道具を保管する入れ物。
【請求項４】
前記洗浄部材および前記支持端部分が前記受け口内の前記垂直保管位置にあるときに、前記支持端部分の前記受け口内での回転を制止する手段をさらに含む、請求項１に記載の清掃道具を保管する入れ物。
【請求項５】
前記支持端部分の前記受け口内での回転を制止する前記手段が、前記受け口内に突出する平行な側面を有する離間配置された位置決め部材を備え、前記洗浄部材および前記支持端部分が前記受け口内の前記垂直保管位置にあるときに、前記位置決め部材は前記洗浄部材の一部分の間に受け入れられる、請求項４に記載の清掃道具を保管する入れ物。
【請求項６】
細長い支持部材を備えるブラシであって、前記支持部材は、第１および第２端部を両側に有する大体真直ぐな支持端部分と、第１および第２端部を両側に有する取っ手端部分とを含み、前記支持および取っ手端部分の第２端部は、第１軸を中心として互いに対して鈍角で配置される状態で、互いに結合され、前記取っ手端部分の第１端部に隣接する取っ手端部分の一部が手で係合できるようになっており、清掃ブラシは、前記支持端部分で支持される内側端部分を有する剛毛を含み、このとき、前記内側端部分に対向する前記剛毛のうちのいくつかの外側端部が、前記支持端部分の第１端部の周りに約１８０度に渡って延びる凸状弓形端部周面部分を画定し、前記剛毛のうちのいくつかの外側端部が、前記鈍角に対向する前記支持端部分の側部において、前記凸状弓形端部周面部分から前記支持端部分の第２端部の方へ延びる凸状弓形側部周面部分を画定し、かつ、前記支持端部分は、前記凸状弓形側周囲部分の反対側で前記支持端部分の前記第２端部に隣接する支持端部分の一部に沿って剛毛が無いようになっているブラシと、
水平面で支持されるようになっている被支持面を有する壁を備える入れ物であって、前記壁は、前記ブラシの剛毛を受け入れて支持するようになっている受け口を画定する複数の受入れ面を有し、それら受入れ面は、前記剛毛によって画定される凸状側部周面部分を支持するようになっている凸状弓形側面を含み、前記凸状弓形側面は前記被支持面に対してほぼ鋭角で配置される軸を有し、かつ前記受け口の入口端部から前記被支持面の方へ延び、前記受入れ面はさらに、前記剛毛によって画定される凸状弓形端部周面部分を支持するようになっている前記入口端部に対向する受け口の端部に凸状弓形端面を含む入れ物との組合せであって、
前記ブラシは、（１）垂直保管位置で、前記凸状弓形端部周面部分を画定する前記剛毛の外側端部が前記凸状弓形端面に押し当てられ、前記凸状弓形側部周面部分を画定する前記剛毛の外側部分が前記凸状弓形側面に押し当てられ、かつ前記取っ手部分が前記受け口の外側で入れ物の前記被支持面から離れて大体垂直に突出する状態か、或いは（２）水平保管位置で、剛毛の外側端部によって画定される前記凸状端部周面部分が前記凸状弓形端面に押し当てられ、剛毛がない前記凸状側部周面部分の反対側の支持部分の前記部分が前記受け口の入口端部で入れ物に押し当てられ、かつ前記取っ手部分が前記受け口の外側で入れ物から離れて前記被支持面に大体平行に突出する状態で、前記受け口に受け入れられる、組合せ。
【請求項７】
前記剛毛によって画定される前記凸状側部周面部分および前記受入れ面に含まれる前記凸状弓形側面が両方とも半円筒形である、請求項６に記載の組合せ。
【請求項８】
前記剛毛によって画定される前記凸状端部周面部分および前記受入れ面に含まれる前記凸状弓形端面が両方とも半球形である、請求項６に記載の組合せ。
【請求項９】
前記剛毛および前記支持端部分が前記受け口内の前記垂直保管位置にあるときに、前記入れ物が前記支持端部分の前記受け口内での回転を制止する手段をさらに含む、請求項６に記載の組合せ。
【請求項１０】
前記支持端部分の前記受け口内での回転を制止する前記手段が、前記受け口内に突出する平行な側面を有する離間配置された位置決め部材を備え、前記剛毛および前記支持端部分が前記受け口内の前記垂直保管位置にあるときに、前記位置決め板は前記剛毛の端部分の間に受け入れられる、請求項９に記載の組合せ。
【請求項１１】
細長い支持部材を備える清掃道具を保管する入れ物であって、前記支持部材は、第１および第２端部を両側に有する大体真直ぐな支持端部分と、第１および第２端部を両側に有する取っ手端部分とを含み、前記支持および取っ手端部分の第２端部は、第１軸を中心として互いに対して鈍角で配置される状態で、互いに結合され、前記取っ手端部分の第１端部に隣接する取っ手端部分の一部が手で係合できるようになっており、清掃道具は、前記支持端部分で支持される内側部分を有する複数の洗浄部材を含み、このとき、前記内側部分に対向する前記洗浄部材によって画定される外側面が、前記支持端部分の第１端部の周りに約１８０度に渡って延びる凸状弓形端部周面部分を画定し、前記洗浄部材のうちのいくつかの外側面が、前記凸状弓形端部周面から前記支持端部分の第２端部の方へ延びる凸状弓形側部周面部分を画定するようになっており、
前記入れ物は水平面で支持されるようになっている被支持面を有する壁を備え、該壁は、前記清掃道具の洗浄部材を受け入れて支持するようになっている受け口を画定する複数の受入れ面を有し、それら受入れ面は、前記洗浄部材によって画定される凸状側部周面を支持するようになっている凸状弓形側面を含み、前記凸状弓形側面は前記被支持面に対して鋭角で配置される軸を有し、かつ前記受け口の入口端部から前記被支持面の方へ延び、前記受入れ面はさらに、前記洗浄部材によって画定される凸状弓形端部周面部分を支持するようになっている前記入口端部に対向する受け口の端部に凸状弓形端面を含み、
前記清掃道具は、（１）前記受け口に垂直保管位置で受け入れられ、このとき、前記凸状弓形端部周面部分を画定する前記洗浄部材の周囲面が前記凸状弓形端面に押し当てられ、前記凸状弓形側部周面部分を画定する前記洗浄部材の周囲面が前記凸状弓形側面に押し当てられ、かつ前記取っ手部分が前記受け口の外側で入れ物の前記被支持面から離れて大体垂直に突出するか、或いは（２）前記受け口の水平保管位置で受け入れられ、このとき、前記洗浄部材によって画定される前記凸状端部周面部分が前記凸状弓形端面に押し当てられ、前記洗浄部材によって画定される前記凸状弓形側部周面部分が前記凸状弓形側面に押し当てられ、かつ前記取っ手部分は前記受け口の外側で入れ物から離れて前記被支持面に大体平行に突出するように適合するようになっている、入れ物。
【請求項１２】
前記受入れ面に含まれる前記凸状弓形側面が半円筒形であり、前記受入れ面に含まれる前記凸状弓形端面が半球形である、請求項１１に記載の清掃道具を保管する入れ物。
【請求項１３】
前記洗浄部材および前記支持端部分が前記受け口内の前記垂直保管位置にあるときに、前記入れ物が前記支持端部分の前記受け口内での回転を制止する手段をさらに含む、請求項１１に記載の清掃道具を保管する入れ物。
【請求項１４】
前記洗浄部材が、繊維が互いに接触する個所で結合される、不規則に間隔を置いて配置された高分子繊維を含む、請求項１１に記載の清掃道具を保管する入れ物。
【請求項１５】
前記洗浄部材が、前記支持端部分で支持され、かつそこから延びる剛毛を含む、請求項１１に記載のブラシを保管する入れ物。
【請求項１６】
細長い支持部材を備える清掃道具であって、前記支持部材は、第１および第２端部を両側に有する大体真直ぐな支持端部分と、第１および第２端部を両側に有する取っ手端部分とを含み、前記支持および取っ手端部分の第２端部は、第１軸を中心として互いに対して鈍角で配置される状態で、互いに結合され、前記取っ手端部分の第１端部に隣接する取っ手端部分の一部が手で係合できるようになっており、清掃道具は、前記支持端部分で支持される内側部分を有する洗浄部材を含み、このとき、前記内側部分に対向する前記洗浄部材によって画定される外側面部が、前記支持端部分の第１端部の周りに約１８０度に渡って延びる凸状弓形端部周面部分を画定し、かつ前記洗浄部材のうちのいくつかの外側面が、前記凸状弓形端部周面部分から前記支持端部分の第２端部の方へ延びる凸状弓形側部周面部分を画定する、清掃道具と、
水平面で支持されるようになっている被支持面を有する壁を備える入れ物であって、前記壁は、前記清掃道具の洗浄部材を受け入れて支持するようになっている受け口を画定する複数の受入れ面を有し、それら受入れ面は、前記洗浄部材によって画定される凸状側部周面部分を支持するようになっている凸状弓形側面を含み、前記凸状弓形側面部分は前記被支持面に対して鋭角で配置される軸を有し、かつ前記受け口の入口端部から前記被支持面の方へ延び、前記受入れ面はさらに、前記洗浄部材によって画定される凸状弓形端部周面部分を支持するように適合される前記入口端部に対向する受け口の端部に凸状弓形端面を含む入れ物との組合せであって、
前記清掃道具は、（１）垂直保管位置で、前記凸状弓形端部周面を画定する前記洗浄部材の周囲面部分が前記凸状弓形端面に押し当てられ、前記凸状弓形側部周面部分を画定する前記洗浄部材の周囲面が前記凸状弓形側面に押し当てられ、かつ前記取っ手部分が前記受け口の外側で入れ物の前記被支持面から離れて大体垂直に突出する状態か、或いは（２）水平保管位置で、洗浄部材の周囲面によって画定される前記凸状端部周面部分が前記凸状弓形端面に押し当てられ、前記凸状弓形側部周面部分を画定する前記洗浄部材の周囲面が凸状弓形側面に押し当てられ、かつ前記取っ手部分が前記受け口の外側で入れ物から離れて前記被支持面に大体平行に突出する状態で、前記受け口に受け入れられる、組合せ。
【請求項１７】
前記受入れ面に含まれる前記凸状弓形側面が半円筒形であり、前記受入れ面に含まれる前記凸状弓形端面が半球形である、請求項１５に記載の組合せ。
【請求項１８】
前記洗浄部材および前記支持端部分が前記受け口内の前記垂直保管位置にあるときに、前記入れ物が前記支持端部分の前記受け口内での回転を制止する手段をさらに含む、請求項１５に記載の組合せ。
【請求項１９】
前記洗浄部材が、繊維が互いに接触する個所で結合される、不規則に間隔を置いて配置された高分子繊維を含む、請求項１５に記載の組合せ。
【請求項２０】
前記洗浄部材が、前記支持端部分で支持されてそこから突出する剛毛を含む、請求項１５に記載の組合せ。
【発明の詳細な説明】
【技術分野】
【０００１】
本発明は、清掃道具が保管されている場合、清掃道具（例えば、ブラシ）の洗浄端部分を受け入れるための受け口を有する入れ物、特に、バスルームで通常使用され、保管される、便器などを清掃するのに使用される長い取っ手付きの型の清掃道具を保管するためのかかる入れ物などに関する。
【背景技術】
【０００２】
背景
この分野では、清掃道具が保管されている場合、清掃道具（例えば、ブラシ）の洗浄端部分を受け入れるための受け口を有する入れ物、特に、バスルームで通常使用され、保管される、便器などを清掃するのに使用される長い取っ手付きの型の清掃道具を保管するためのかかる入れ物などが充実している。米国意匠特許第３４５，２７１号、同第２９７，２９２号、同第３２９，７７５号、同第２７６，２９１号、同第２９８，７１２号、同第３１５，２６９号、同第４００，７４８号、および同第２９１，０３９号、米国特許第４，７７６，４５６号、ならびに国際公開第０１／６０２００  Ａ１号パンフレットが説明に役立つ実例を与える。通常、かかる入れ物は、清掃道具が使用される場合にそれを取り出すのに便利であるが、取っ手の長さおよび清掃道具の全長（例えば、１６＋インチすなわち４０＋センチ）の故に、入れ物と清掃道具の組合せをバスルームで通常見られる型の収納キャビネットに保管するのに不便になる、大体垂直に上方に突出する清掃道具の取っ手付きの清掃道具を保管する。
【発明の開示】
【課題を解決するための手段】
【０００３】
本発明は、清掃道具が保管されている場合、清掃道具（例えば、ブラシ）、特に、バスルームで通常使用され、保管される、便器などを清掃するのに使用される長い取っ手部分を有する型の清掃道具またはブラシの端部分を受け入れるための受け口を有する入れ物を提供する。入れ物は、従来のように上方に突出する清掃道具の長い取っ手部分付きの清掃道具の保管を可能にし、また、大体水平に延びる長い取っ手部分付きの清掃道具の保管も可能にし、それによって、例えば、審美的な理由により、または清掃道具を子供達から離すために望ましい、または必要である、バスルーム（例えば、化粧テーブル）で通常見られる型のキャビネットに清掃道具を納める入れ物の保管を容易にする。
【０００４】
本発明によって清掃道具を保管する入れ物が提供され、この清掃道具は大体真直ぐな支持端部分および取っ手端部分を含む細長い支持部材を備える。支持および取っ手端部分の端部が、互いに対して鈍角（例えば、約１５３度）で配置される支持端部分および取っ手端部分に結合される。支持端部分に対向してその端部に隣接する取っ手端部分の一部が手動係合のために適合される。清掃道具は、支持端部分で支持される（例えば、それに埋め込まれる）内側端部分を有する洗浄部材（例えば、剛毛、または不規則に配置された無機物被覆繊維）を含む。洗浄部材のうちのいくつかの外側部分が、取っ手端部分に対向して支持端部分の端部の周りに約１８０度延びる凸状弓形端部周面部分（例えば、凸状の大体半球形端部周面）を画定する。他の洗浄部材の外側部分がさらに、その凸状端部周面から支持端部分の側部に沿って取っ手部分の方へ延びる凸状弓形側部周面（例えば、凸状の円筒形側部周面）を画定する。入れ物は水平面で支持されるように適合される被支持面を有する壁を備え、洗浄部材を支持部材の支持端部分で受け入れ、支持するように適合される受け口を画定する受入れ面を有する。それらの受入れ面は、洗浄部材によって画定される凸状側部周面部分を支持するように適合される凸状弓形側面（例えば、凸状の円筒形側面）を含み、この凸状弓形側面は被支持面に対して鋭角（例えば、約５５度）で配置される軸を有し、受け口の入口端部から被支持面の方へ延びる。受入れ面はさらに、洗浄部材によって画定される凸状弓形端部周面部分を支持するように適合される、受け口の最内端に凸状弓形端面（例えば、大体半球形端面）を含む。清掃道具は、（１）受け口に垂直保管位置で置かれ、凸状端部周面部分を画定する洗浄部材の部分が凸状弓形端受入れ面に押し当てられ、凸状弓形側部周面部分を画定する洗浄部材の部分が凸状弓形側面に押し当てられ、そして取っ手部分は受け口の外側にあり、かつ入れ物の被支持面から離れて大体垂直に突出する（例えば、被支持面が水平面で支持される場合、大体垂直に上方へ突出する）か、或いは（２）受け口に水平保管位置で置かれ、洗浄部材によって画定される凸状端部周面部分は凸状弓形端面に押し当てられ、支持部分は受け口の入口端部で入れ物に押し当てられ、そして取っ手部分は受け口の外側にあり、かつ入れ物から被支持面に大体平行に突出し得る。
【０００５】
本発明は、添付図面を参照してさらに説明され、そこでは同じ参照数字がいくつかの図面で同様の部分を参照する。
【発明を実施するための最良の形態】
【０００６】
さて図面の図１〜１０を参照して、清掃道具またはブラシ１２の第１実施形態および本発明による入れ物１４を含む、本発明による組合せ１０が示される。
【０００７】
通常、ブラシ１２（図３および４で良く分かる）は、高分子材料（例えば、ポリプロピレン）の堅い細長い支持部材１６を備える。支持部材１６は、第１および第２端部１９および２０を両側に有する大体真直ぐな支持端部分１８と、第１および第２端部２３および２４を両側に有する取っ手端部分２２とを含む。支持および取っ手端部分１８および２２の第２端部２０および２４は結合され（例えば、図示したように一体に成形され）、支持端部分１８および取っ手端部分２２は、第１軸２６を中心として互いに対して鈍角で配置される（例えば、図示したように、その鈍角は支持端部分１８の中心線と取っ手端部分２２の端部２３と２４の間を延びる直線との間で約１５３度である）。その第１端部２３に隣接する取っ手端部分２２の一部が手動係合のために適合され、図示のように、装飾的な外形を有する、色のついた熱化塑性ゴムのような滑らない材料の薄層２７をそれに接着した。ブラシ１２は、支持端部分１８で支持される（例えば、埋め込まれる）内部端部品を有する洗浄部材または剛毛２８（例えば、ポリプロピレンの堅い繊維）を含む。支持端部分１８の第１端部１９における剛毛２８のうちのいくつかの外側部分または端部が、支持端部分１８の第１端部１９の周りに約１８０度延びる凸状弓形端部周面部分３０（例えば、図示のような凸状半球形端部周面部分３０）を画定する。支持端部分１８に沿った他の剛毛２８の外側部分または端部がさらに、支持端部分１８および取っ手端部分２２が軸２６の周りに配置される鈍角の反対側の支持端部分１８の側部の周りに約１８０度、凸状弓形端部周面部分３０から支持部分１８の第２端部２０の方へ延びる凸状弓形側部周面部分３２（例えば、図示のような凸状半球形側部周面部分３２）を画定する。支持端部分１８は、剛毛２８によって画定される凸状弓形側部周面部分３２の反対側、かつ支持端部分１８の第２端部２０に隣接する支持端部分１８の部分３３に沿って剛毛がない。
【０００８】
図５、６、および７で良く分かる、本発明による入れ物１４は、水平面で支持されるように適合される面内に被支持縁面４０を有する壁を含む高分子材料（例えば、ポリプロピレン）の単一成形品である。入れ物１４はまた、ブラシ１２の剛毛２８および支持端部分１８を受け入れ、支持するように適合される受け口４２を入れ物１４に画定する受入れ面を有する。それらの受入れ面は、剛毛２８の外側端部によって画定される凸状弓形側部周面部分３２に合わせ、支持するように適合される縁面４０（例えば、図示のような凸状半円筒形側面４４）に隣接して凸状弓形側面４４を含む。その凸状弓形側面４４は、被支持縁面４０の面に対して鋭角（例えば、図示のように約５５度）で配置され、かつ受け口４２の入口端４５から被支持縁面４０の面に向かって延びる長手方向軸（すなわち、受け口４２の長手方向軸または中心線４３）を有する。受け口４２を画定する受入れ面はさらに、剛毛２８の外側端部によって画定される凸状弓形側部周面部分３０に合わせ、支持するように適合される、その入口端４５に対向する受け口４２の端部を画定する凸状弓形端面４６（例えば、図示のような凸状半球形端面４６）を含む。
【０００９】
ブラシ１２は、図１、８、および９に示す第１または垂直保管位置で入れ物１４の受け口４２に受け入れられ、保管されることが可能であり、ブラシ１２の凸状弓形端部周面部分３０を画定する剛毛２８の端部が、受け口４２の内側端部を画定する凸状弓形端面４６に押し当てられ、受け口４２の中心線が支持端部分１８の中心線と整列するように、ブラシの凸状弓形側部周面部分３２を画定する剛毛の端部が、凸状弓形側面３２に押し当てられて支持され、そして入れ物１４の被支持縁面４０がバスルームの床のような水平面に支持される場合、取っ手端部分２２は大体垂直に上方へ突出するであろうように、ブラシ１２の取っ手部分２２が入れ物１４の受け口４２の外側にあり、かつ入れ物１４の被支持縁面４０から離れて大体垂直に突出する。あるいは、ブラシ１２は、図２および１０に示す第２または水平保管位置で受け口４２に受け入れられ、保管されることが可能であり、ブラシの凸状弓形端部周面部分３０を画定する剛毛２８の端部が、入れ物１４の受け口４２の内側端部を画定する凸状弓形端面４６に押し当てられて支持され、支持端部分１８の中心線が受け口４２の軸または中心線４３に対して約２３度の角度であるように、凸状弓形側部周面部分３２に対向する支持端部分１８の剛毛のない部分３３が、受け口４２の入口端４５で入れ物１４に押し当てられて支持され、そして取っ手端部分２２が受け口４２の外側にあり、かつ入れ物１４から離れて入れ物１４の被支持縁面４０に大体平行に突出する。この水平保管位置で、ブラシ１２を入れた入れ物１４が、バスルームで通常見られる型のキャビネット（例えば、化粧テーブル）にブラシ１２を含む入れ物１４の保管を容易にする高さを有するように、入れ物１４の被支持縁面４０の上のブラシ１２の最大高さは、垂直保管位置でのその最大高さよりもかなり小さく（例えば、約１６インチすなわち４０．６センチと比べて約４．５インチすなわち１１．４センチ）、入れ物１４の高さ（すなわち、約５．８インチすなわち１４．７センチ）よりも小さい。
【００１０】
図示のように、受け口４２の長手方向の中心軸４３が被支持縁面４０の面に対して約５５度の鋭角で配置され、そしてブラシの支持端部分１８および取っ手端部分２２が、支持端部分１８の中心線と取っ手端部分２２の端部２３と２４との間を延びる直線との間で測定される約１５３度の第１軸２６を中心として、互いに対して鈍角で配置される場合、上述の垂直保管位置で、ブラシ１２の取っ手部分２２は、被支持縁面４０に対して大体垂直と見なされる約８２度の角度（約７０度よりも大きい角度と見なされるだろう）で、入れ物１４の被支持縁面４０からほぼ離れた角度で突出する。支持端部分１８の中心線が、受け口４２の中心線または軸４３に対して約２３度あるいは被支持縁面４０に対して約３２度の角度である、上述の水平保管位置で、ブラシ１２の取っ手部分２２は、被支持縁面４０に対して大体平行と見なされる約４度の角度（約１５度よりも小さい角度と見なされるだろう）で、入れ物１４の被支持縁面４０から突出する。
【００１１】
入れ物１４は、剛毛２８および支持端部分１８が受け口４２内の上述の垂直保管位置にある場合、支持端部分１８の受け口４２の軸を中心とする回転を制止するための手段を含む。図示のように、回転を制止するためのその手段は、受け口４２内に突出する受け口４２の軸に平行である平行側面を有する、間隔を置いて配置された薄い位置決め部材または板５０を含む。剛毛２８および支持端部分１８が、もし入れ物１４の被支持縁面４０がバスルームの床のような水平面で支持されるならば、取っ手端部分２２は大体垂直に上方へ突出するであろう受け口４２内の垂直保管位置にある場合、位置決め板５０は剛毛２８の端部分の間に受け入れられる。次いで剛毛２８の端部分の位置決め板５０の側面に対する係合が、取っ手端部分２２の重さの影響を受けて支持端部分１８の受け口４２の軸を中心とする回転を制止するであろうし、この回転は、もしそれが起きるならば、取っ手端部分２２をその上方へ突出する位置からより低い位置に動かすこともあり得る。位置決め部材は図示した以外の形状、例えば三角形または半楕円形の断面を有することもあり、剛毛を容易に分離する形状を有し、位置決め板５０の両側に沿った分離された剛毛の動きを可能にするだろう。
【００１２】
図示するように、剛毛２８の外側端部によって画定される凸状端部周面部分３０、およびブラシが入れ物１４の中にある場合にその周囲面３０が押し当てられて支持される入れ物１４の凸状端面４６が両方とも半球形であり、剛毛２８の外側端部によって画定される凸状側部周面部分３２、およびブラシが入れ物１４の中の上述の垂直保管位置にある場合にその側部周面３２が押し当てられて支持される入れ物１４の凸状側面４４が両方とも半球形である。それらの面３０、４６、３２、および４４は、それらの面３０、４６、３２、および４４は真に半球形または半円筒形以外であることもあり得るが、他の規則的または不規則な湾曲形状を有することもあり得るという可能性を含むために弓形として説明された。
【００１３】
面および面部分３０、４６、３２、および４４が図示のように真に半球形または半円筒形である場合、ブラシ１２は、上述の第１および水平保管位置に加えて多くの任意の状態で入れ物１４の受け口４２に受け入れられ、保管されることが可能であり、取っ手端部分２２は受け口４２の入口端部４５の任意の部分を超えて延びる。取っ手端部分２２は、垂直保管位置（図１、８、および９）でのその位置からどちらかの方向に受け口の入口端部４５の周り約４５度内で受け口の入口端部４５の部分を超えて延び、ブラシ１２の凸状弓形端部周面部分３０を画定する剛毛２８の端部は、受け口４２の内側端部を画定する凸状弓形端面４６に押し当てられるであろうし、そしてブラシ１２の凸状弓形側部周面部分３２を画定する剛毛の端部は、垂直保管位置で凸状弓形側面３２に少なくとも部分的に押し当てられて支持されるであろう。取っ手端部分２２は、水平保管位置（図２および１０）でのその位置から受け口の入口端部４５の周りのどちらかの方向に約１３５度内で受け口の入口端部４５の部分を超えて突出し、ブラシの凸状弓形端部周面部分３０を画定する剛毛２８の端部は、入れ物１４の受け口４２の内側端部を画定する凸状弓形端面４６に押し当てられて支持されるであろうし、そして凸状弓形側部周面３２の反対側の支持端部分１８の剛毛のない部分３３は、水平保管位置で受け口４２の入口端部４５で入れ物１４に押し当てられて支持されるであろう。取っ手端部分２２は受け口４２の外側にあり、それらの任意の状態で種々の方向に入れ物１４から突出するであろうし、これらの方向の１つは、ある状況で、入れ物１４およびブラシ１２を位置決めまたは保管する利点を与える。それらの任意の位置のどれにおいても、位置決め部材または板５０の側面に対する剛毛２８の端部分の係合が、取っ手端部分２２の重さの影響を受けて受け口４２の軸を中心とする支持端部分１８の回転を制止するであろう。
【００１４】
図１１に示すように、入れ物１４は、支持端部分１８ａが、剛毛２８ａによって画定され、かつ支持端部分１８ａの第２端部２０ａに隣接する、凸状弓形側部周面部分３２ａの反対側の支持端部分１８ａの部分３３ａで支持されるか、またはそれに埋め込まれる剛毛を有することを除いて、ブラシ１２とほぼ同じ構成を有する、清掃道具またはブラシ１２ａの第２実施形態を受け入れるために使用されることもあり得る（ブラシ１２の部分に対応するブラシ１２ａの部分が、添え字「ａ」を付加された同じ参照数字を与えられた）。ブラシ１２ａのための垂直保管位置（図示せず）が、図１、８、および９に示すブラシ１２のための垂直保管位置とほとんど同じであろうし、そこではブラシ１２ａの凸状弓形端部周面部分３０ａを画定する剛毛２８ａの端部が、受け口４２の内側端部を画定する凸状弓形端面４６に押し当てられたままであり、受け口４２の中心線または軸４３が支持端部分１８ａの中心線にほぼ整列されるように、ブラシ１２ａの凸状弓形側部周面部分３２ａを画定する剛毛２８ａの端部が、凸状弓形側面３２に押し当てられて支持され、そしてブラシ１２ａの取っ手端部分２２ａが入れ物１４の受け口４２ａの外側にあり、かつもし入れ物１４の被支持縁面４０がバスルームの床のような水平面で支持されるならば、取っ手端部分２２ａは大体垂直に上方へ突出するであろうように、入れ物１４の被支持縁面４０から離れて大体垂直に突出する。あるいは、ブラシ１２ａは図１１に示す水平保管位置で受け口４２に受け入れられ、保管されることが可能であり、ブラシ１２ａの凸状弓形端部周面部分３０ａを画定する剛毛２８ａの端部は、入れ物１４の受け口４２の内側端部を画定する凸状弓形端面４６に押し当てられて支持され、支持端部分１８ａの中心線が受け口４２ａの中心線にほぼ整列されるように、凸状弓形側部周面部分３２ａの反対側の支持端部分１８ａの部分３３ａに沿った剛毛は、縁面４０に隣接する凸状弓形側面４４に押し当てられて支持され、そして取っ手端部分２２ａは受け口４２ａの外側にあり、かつ入れ物１４の被支持縁面４０に対して約２３度の角度で入れ物１４ａから離れて突出する。ブラシ１２ａのためのこの水平保管位置で、入れ物１４の被支持縁面４０の上のブラシ１２ａの最大高さは、垂直保管位置におけるその最大高さよりもかなり小さく（例えば、約１６インチすなわち４０．６センチと比べて約１０インチすなわち２５．４センチ）、そして入れ物１４の高さ（すなわち、約５．８インチすなわち１４．７センチ）よりも大きいとはいえ、それはバスルームで通常見られる型のキャビネット（例えば、化粧テーブル）にブラシ１２ａを含む入れ物１４の保管を容易にするほど十分に小さい。
【００１５】
支持端部分１８ａの中心線が受け口４２ａの中心線に沿っているか、または被支持縁面部分４０に対して約５５度である、上述の水平保管位置で、ブラシ１２の取っ手部分２２は、かかる取っ手部分２２に関して、被支持縁面４０に対して大体平行とみなされる約２８度の角度（約３０度よりも小さい角度でみなされるだろう）で入れ物１４の被支持縁面４０から離れて突出する。
【００１６】
図１２および１３に示すように、入れ物１４は、清掃道具６０の第３実施形態（図１４も参照）、例えば、「スコッチブライト」（ＳＣＯＴＣＨ  ＢＲＩＴＥ）（商標）ワンスクラブ（Ｏｎｅ  Ｓｃｒｕｂ）という商品名で、ミネソタ州セントポールのスリーエム・カンパニー（３Ｍ  Ｃｏｍｐａｎｙ（Ｓｔ．Ｐａｕｌ，Ｍｉｎｎｅｓｏｔａ））によって長年販売されている清掃道具６０を受け入れるために使用されることもあり得る。その清掃道具６０は、第１および第２端部６３および６４を両側に有する大体真直ぐな支持端部分６２を含む細長い支持部材６１と、第１および第２端部６７および６８を両側に有する取っ手端部分６６と、を備える。支持および取っ手端部分６１および６６の第２端部６４および６８は結合され（例えば、一体に成形されることによって）、支持端部分６２および取っ手端部分６６は第１軸７０を中心として互いに対して鈍角で配置される（例えば、その鈍角は支持端部分１８の中心線と取っ手端部分６６の端部６７と６８との間を延びる直線との間で約１５６度である）。その第１端部６７に隣接する取っ手端部分６６の一部が手動係合のために適合される。清掃道具は、繊維が互いに接触する個所で樹脂（例えば、ポリウレタン）で結合される、不規則に間隔を置いて配置された高分子繊維（例えば、ポリエステル）の形をした、かつ無機化合物でコーティングされた洗浄部材（例えば、ミネソタ州セントポールのスリーエム・カンパニー（３Ｍ  Ｃｏｍｐａｎｙ（Ｓｔ．Ｐａｕｌ，Ｍｉｎｎｅｓｏｔａ））によって販売されている「スコッチブライト」（ＳＣＯＴＣＨ  ＢＲＩＴＥ）（商標）洗浄材料）のパッド７２を含み、この繊維は、支持端部分６１にパッド７２を保持するために繊維と係合する毛６５を有する支持端部分６１で支持される内側部分を有する。パッド７２は、支持端部分６１の第１端部６３の周りに約１８０延びる凸状弓形端部周面部分７６を含むそれらの内側部分に対向して、かつその凸状弓形端部周面部分７６から支持端部分６２の第２端部６４の方へ延びる凸状弓形側部周面部分７８に対向して、洗浄部材の部分によって画定される外面を有し、この端および側部周面部分７６および７８は、パッド７２の反対の平らな平行する上面部分および底面部分７９および８０の間を延びる。
【００１７】
図１２に示す清掃道具６０のための垂直保管位置で、洗浄部材によって画定される端部周面部分７６は、受け口４２の内側端部を画定する凸状弓形端面４６に押し当てられるであるであろうし、支持端部分１８ａの中心線が受け口４２の中心線４３にほぼ整列するように、凸状弓形側部周面部分７８は凸状弓形側面３２および位置決め部材５０と係合するであろうし、そしてもし入れ物１４の被支持縁面４０がバスルームの床のような水平面で支持されるならば、取っ手端部分２２ａは大体垂直に上方へ突出するであろうように、清掃道具６０の取っ手端部分６６は入れ物１４の受け口４２の外側にあり、かつ入れ物１４の被支持縁面４０から離れて大体垂直に延びる。あるいは、清掃道具６０は図１３に示す水平保管位置で受け口４２に受け入れられ、保管されることが可能であり、洗浄部材によって画定される凸状弓形端部周面部分７６は、入れ物１４の受け口４２の内側端部を画定する凸状弓形端面４６に押し当てられて支持され、支持端部分６２の中心線が受け口４２の中心線または軸４３に対して約２３度の角度であるように、支持部材６１は受け口４２の入口端部４５で入れ物１４に押し当てられて支持され、そして取っ手端部分６６は受け口４２の外側にあり、かつ入れ物１４の被支持縁面４０に大体平行に入れ物１４から離れて突出する。この水平保管位置で、清掃道具６０を入れた入れ物１４が、バスルームで通常見られる型のキャビネット（例えば、化粧テーブル）にブラシを含む入れ物の保管を容易にする高さを有するように、入れ物１４の被支持縁面４０の上の清掃道具６０の最大高さは、垂直保管位置におけるその最大高さよりもかなり小さく（例えば、約１６インチすなわち４０．６センチと比べて約６インチすなわち１５センチ）、ほぼ入れ物１４の高さ（言い換えれば、約５．８インチすなわち１４．７センチ）である。
【００１８】
ここで本発明による入れ物１４は、一実施形態を参照して、かつそれのいくつかの可能な変更態様といくつかの清掃道具１２、１２ａ、および６０とを組み合わせて説明された。多くの変更が、本発明の範囲から逸脱せずに上述の実施形態および組合せで行われ得ることが当業者に明らかであろう。例えば、ブラシ１２の剛毛２８の外側端部によって画定される凸状弓形端部周面部分３０、およびブラシ１２が真に半球形ではない入れ物１４の中にある場合、周囲面３０が押し当てられて支持される入れ物１４の凸状弓形端面４６は、入れ物１４内のブラシの保管状態を上述の第１および水平保管位置に限定することもあり得る軸２６に平行な軸の周りに中央の半円筒形部分を有することもあり得るし、剛毛２８および支持端部分１８が垂直保管位置で受け口４２内にある場合、受け口４２の軸４３を中心とする支持端部分１８の回転を制止するための手段を与えることもあり得る。また、水平保管位置で、被支持面４０と入れ物１４またはブラシ１２の最も高い個所との間の高さをさらに制限するために、図１０に示す水平線５２のほぼ上の入れ物１４の上部が、線５２がその上では第１か、或いは第２保管状態でブラシ１２の剛毛２８と接触しない面によって画定される受け口４２の部分として取り外されることもあり得る。また、入れ物１４は、支持縁面４０に対して直角に配置される平らな面を有するその側部９０に沿って壁を備えることもあり、この壁は、入れ物１４がそれによって壁に掛けられることもあり得るフックなどを受け入れるための開口を有することもあり得る。さらに、カバーが受け口４２の入口端部４５の上に設けられることもあり、このカバーは、清掃道具１２、１２ａ、または６０をそれらの垂直か、或いは水平保管位置に位置決めするのを容易にするために細長い穴を作られることもあり得る。このように、本発明の範囲は本出願に記載した構造に限定されるべきではなく、特許請求の範囲およびその等価物の文言によって述べられる構造によってだけ限定されるべきである。
【図面の簡単な説明】
【００１９】
【図１】本発明による清掃道具またはブラシおよび入れ物の組合せの斜視図であり、そこではブラシは入れ物に垂直保管位置で置かれ、ブラシの取っ手部分が受け口の外側にあり、かつ入れ物から離れて大体垂直に上方に突出する。
【図２】図１の組合せの斜視図であり、そこではブラシは入れ物に水平保管位置で置かれ、ブラシの取っ手部分は受け口の外側にあり、かつ入れ物から離れて大体水平に上方に突出する。
【図３】図１の組合せに含まれるブラシの拡大側面図である。
【図４】図１の組合せに含まれるブラシの拡大上面図である。
【図５】図１の組合せに含まれる本発明による入れ物の正面図である。
【図６】図１の組合せに含まれる入れ物の背面図である。
【図７】図５の線７−７にほぼ沿って切った部分断面図である。
【図８】図１の線８−８にほぼ沿って切った部分断面図である。
【図９】図８の線９−９にほぼ沿って切った部分断面図である。
【図１０】図２の線１０−１０にほぼ沿って切った部分断面図である。
【図１１】清掃道具またはブラシの第２実施形態と組み合せた図１〜１０に示す、本発明によるブラシ入れの側断面図であり、そこではブラシは入れ物に水平保管位置で置かれ、ブラシの取っ手部分が入れ物の外側にあり、かつ入れ物から離れて大体水平に突出する。
【図１２】清掃道具の第３実施形態と組み合せた図１〜１０に示す、本発明による入れ物の側断面図であり、そこでは清掃道具は入れ物に垂直保管位置で置かれ、清掃道具の取っ手部分が入れ物の外側にあり、かつ入れ物から離れて大体垂直に上方へ突出する。
【図１３】図１２に示す清掃道具の第３実施形態と組み合せた、本発明による入れ物の側断面図であり、そこでは清掃道具は入れ物に水平保管位置で置かれ、清掃道具の取っ手部分が入れ物の外側にあり、かつ入れ物から半腫れて大体水平に突出する。
【図１４】図１２および１３に示す清掃道具の上面図である。
【図１】
2005534377.tif 000003
【図２】
2005534377.tif 000004
【図３】
2005534377.tif 000005
【図４】
2005534377.tif 000006
【図５】
2005534377.tif 000007
【図６】
2005534377.tif 000008
【図７】
2005534377.tif 000009
【図８】
2005534377.tif 000010
【図９】
2005534377.tif 000011
【図１０】
2005534377.tif 000012
【図１１】
2005534377.tif 000013
【図１２】
2005534377.tif 000014
【図１３】
2005534377.tif 000015
【図１４】
2005534377.tif 000016
【国際調査報告】
2005534377.tif 000017
2005534377.tif 000018